(57)【特許請求の範囲】
【請求項１】
ＣＤなどの記録媒体の収納部を備えたケース本体の一端に、複数個の綴り込み用の透孔を列設した綴り込み部片を設けて綴り込み式保管ケースを構成し、該綴り込み式保管ケースの前記綴り込み部片の係合間隙を存して少くも一対以上の保持部片をケース保持部材に並設し、前記係合間隙を介する一側の前記保持部片の片面と、該片面に対して前記綴り込み部片の板厚相当分変位させた他の一側の前記保持部片の片面のそれぞれに、前記透孔に係止する突子を設けた、記録媒体の綴り込み式保管ケースとケース保持部材の組付け装置。
【請求項２】
保持部片の、係合間隙を構成する端部以外の他の端部側に、ヒンジを介して挾持片を連設し、該挾持片に突子に係止する係止部片を設けた、請求項１記載の記録媒体の綴り込み式保管ケースとケース保持部材の組付け装置。
【発明の詳細な説明】
【０００１】
【産業上の利用分野】
本発明は、ＣＤ、ＦＤ等の記録媒体の収納部を備えた合成樹脂製の綴り込み式保管ケースと、該綴り込み式保管ケースを収納庫或いは抽出し等に整理収納するために用いるケース保持部材との組付け、又はケース保持部材相互の連結によりブック型ケースホルダーを形成する組付けなどに利用できる組付け装置に関するものである。
【０００２】
【従来の技術】
合成樹脂素材を型抜きしてＣＤ等の記録媒体の収納部を備えたケース主体を構成し、該ケース主体に連設した綴り込み部片に透孔を列設し、この透孔に綴り込むように構成した、記録媒体の綴り込み式保管ケースは、その使用勝手の良好さから近年用いられるようになっている。
【０００３】
【発明が解決しようとする課題】
従来技術における前記綴り込み式保管ケースは相応の機能性を備えたものであるが、該ケースをバインダー以外のもの、例えば、収納庫であるとか事務机の抽出し内に納める場合は、バインダーから例えば、ハンガーなどの収納用ホルダーに組付け変えて該収納用ホルダーを専ら使用して物品を収納するようにする場合が考えられる。また、バインダー金具の収納容量に関係なく綴じるようにする場合も考えられる。
【０００４】
本発明は、斯様な状況を想定し、バインダーに綴り込んでいる綴り込み式保管ケースをバインダー以外のケース保持部材を用いて収納庫などに保管する際に当然予想される綴り込み式保管ケースと収納用ホルダーとの組付け上の課題に対して、一の解決手段としたものである。
【０００５】
【課題を解決するための手段】
ＣＤなどの記録媒体の収納部を備えたケース本体の一端に、複数個の綴り込み用の透孔を列設した綴り込み部片を設けて綴り込み式保管ケースを構成し、該綴り込み式保管ケースの前記綴り込み部片の係合間隙を存して少くも一対以上の保持部片をケース保持部材に並設し、前記係合間隙を介する一側の前記保持部片の片面と、該片面に対して前記綴り込み部片の板厚相当分変位させた他の一側の前記保持部片の片面のそれぞれに、前記透孔に係止する突子を設けたことを基本的手段とし、保持部片の、係合間隙を構成する端部以外の他の端部側に、ヒンジを介して挾持片を連設し、該挾持片に突子に係止する係止部片を設けた構成にすることにより綴り込み式保管ケースとケース保持部材の組付け状態を尚一層確実に維持させる。
【０００６】
【実施例】
図面は本発明に係る記録媒体の綴り込み式保管ケースとケース保持部材の組付け装置の実施例を示し、図１乃至図４は第一実施例、また、図５乃至図７は第二実施例である。
【０００７】
図示の綴り込み式保管ケースＡは、合成樹脂素材を型抜き成形して成り、記録媒体の収納部１を備えたケース本体２の一端に綴り込み部片３を突設し、該綴り込み部片３に適宜数の綴り込み用の透孔４を設けて構成したもので、適宜の前記透孔４、………を用いてバインダーに設けた綴り込み装置の綴り杆を貫通させてバインダーに綴り込むことができるようにしたものである。
【０００８】
この綴り込み式保管ケースＡを組付けるケース保持部材５は、長手方向の両端に掛止片６を突設した主体片７の長手方向に沿う一端に前記綴り込み部片３の係合間隙８を存して保持部片９、９´を並設し、前記係合間隙８を介する一側の前記保持部片９の片面９ａと、該片面９ａに対して前記綴り込み部片３の板厚相当分ａ（図３）変位させた他の一側の前記保持部片９´の片面９´ａに前記透孔４に係合する突子１０、１０Ａを設けたものである。
【０００９】
しかして、例えば、図４で示すように、保持部片９、９´間の係合間隙８に綴り込み式保管ケースＡ側の綴り込み部片３を係合させ、保管ケースＡとケース保持部材５を互いに交差方向に配して、保持部片９の片面９ａと他の保持部片９´の片面９´ａに綴り込み部片３と保持部片９、９´を相対的に回動させると、保持部片９、９´側の突子１０、１０Ａと綴り込み部片３側の透孔４が互いに係合され、素材（合成樹脂）の関係により該係合状態は良好に保たれ、綴り込み式保管ケースＡとケース保持部材５は互いに組付けられ、素材（合成樹脂）の関係により前記係合状態は良好に保持されるのである。
【００１０】
【第一実施例】
図１乃至図４で示す第一実施例は、主体片７に係合間隙８を存して一対の保持部片９、９´を並設してケース保持部材５を構成したもので、該ケース保持部材５の前記保持部片９、９´の前記係合間隙８を構成する端部９ｂ、９´ｂと反対側の端部９ｂ´、９´ｂ´にヒンジ１１を介して挾持片１２を連設し、該挾持片１２に並べて突設した一対の係止部片１３、１３を、前記保持部片９、９´に設けた突子１０、１０Ａ中、前記係合間隙８側の端部９ｂ、９´ｂと反対側の端部９ｂ´、９´ｂ´（挾持片１２側の端部）側に配した一対の突子１０Ａ、１０Ａに設けた受止孔１４、１４に係離自在に掛止させるようにしたものである。
【００１１】
前記一対の突子１０Ａ、１０Ａは、保管ケースＡの接続材として機能すると共に、挾持片１２（掛止部片１３）の受止部片を兼ねる。
【００１２】
第一実施例は、前記の通りの操作により、突子１０、１０Ａを透孔３に係合させた後、ヒンジ１１を利用して挾持片１２を保持部片９、９´に重ね合わせつつ、突子１０Ａに設けた受止孔１４に挾持片１２に設けた掛止部片１３を掛止させ、挾持片１２と保持部片９、９´とで綴り込み部片３を挾持させ、綴り込み式保管ケースＡと収納用ホルダー５の組付け状態を尚一層確実にするようにしたものである。
【００１３】
【第二実施例】
図５乃至図７で示す第二実施例も、前記挾持片１２をケース保持部材５側に装置して該ケース保持部材５と綴り込み式保管ケースＡとの組付け状態を尚一層確実に維持するようにしたものであるが、この第二実施例は、保管ケースＡに設けた綴り込み部片３を中央部３Ａと一対の側部３Ｂ、３Ｂとに３分割し、他方、ケース保持部材５側の係合間隙８を介する両側の保持部片９、９´を中央部９Ａ、９´Ａと側部９Ｂ、９´Ｂにそれぞれ２分割し、側部９Ｂ、９´Ｂの前記中央部９Ａ、９´Ａ側の端部にヒンジ１１を介して係止部片１３、１３を備えた挾持片１２を連設し、側部９Ｂ、９´Ｂには第一実施例と同様の突子１０Ａ、１０Ａを設けて構成したものである。
【００１４】
すなわち、この第二実施例は、係合間隙８に綴り込み部片３の中央部３Ａを係合させるようにして保管ケースＡとケース保持部材５を互いに交差方向に配し、中央部３Ａが保持部片９、９´の中央部９Ａ、９´Ａに、側部３Ｂが保持部片９、９´側の側部９Ｂ、９´Ｂに重なる方向にこれらを相対的に回動させ、突子１０、１０Ａと透孔４を互いに係止させた後、第一実施例と同様にヒンジ１１を利用して各挾持片１２、１２を保持部片９、９´（の側部９Ｂ、９´Ｂ）に重ね合わせつつ、突子１０Ａに設けた受止孔１４に挾持片１２に設けた係止部片１３を係止させ、挾持片１２と保持部片９、９´（の側部９Ｂ、９´Ｂ）とで綴り込み部片３（の側部３Ｂ）を挾持させるようにしたものである。
【００１５】
以上収納庫或いは抽出し等に整理収納するハンガータイプのケース保持部材について示したが、その他ケース保持部材相互を連結する連結部材を付加することによりブック型ケースホルダーを形成するなど種々の応用が考えられる。
【００１６】
【発明の効果】
本発明は前記の通りの構成であるから、綴り込み式保管ケースとケース保持部材を互いに確実に組付けることができ、互いに組付けた状態で保管ケースに対してその表裏（前後）方向に外力が作用しても、綴り込み部片の一半側は保持部片のいわば表面側に、他の一半側はいわば裏面側に重合された構造を採るから、互いに外れることがない。
【図面の簡単な説明】
【図１】組付ける前の状態の第一実施例の正面図。
【図２】組付けた状態の第一実施例の正面図。
【図３】第一実施例の一部拡大断面図。
【図４】綴り込み部片と保持部片の関係を示す説明図。
【図５】組付ける前の状態の第二実施例の正面図。
【図６】組付けた状態の第二実施例の正面図。
【図７】第二実施例の一部拡大断面図。
【符号の説明】
Ａ            綴り込み式保管ケース
１            収納部
２            ケース本体
３            綴り込み部片
４            透孔
５            ケース保持部材
８            係合間隙
９、９´      保持部片
９ａ、９´ａ  片面
１０、１０Ａ  突子
【図１】
0003846816.tif 000002
【図２】
0003846816.tif 000003
【図３】
0003846816.tif 000004
【図４】
0003846816.tif 000005
【図５】
0003846816.tif 000006
【図６】
0003846816.tif 000007
【図７】
0003846816.tif 000008